(57)【要約】【課題】  内線で固定電話機と連動する無線端末機が無線ＬＡＮ圏外へ移動した際に、その連動固定電話機への着呼をその連動無線端末機へ自動的に転送設定できない。【解決手段】  無線基地局３０により構成する無線ＬＡＮにアクセスする無線端末機３１が内線番号を有すると共に携帯電話網とアクセスする携帯電話番号を有するデュアルモードであり、固定電話機２１と無線端末機３１との一組の内線番号を連動とする場合、電話主装置１０では、無線端末機３１が無線基地局３０とアクセス中の圏内では、無線端末機３１の内線番号への着呼を連動先の固定電話機２１の内線番号へ転送する一方、圏外に出た場合の固定電話機２１の内線番号への着呼を無線端末機３１の携帯電話番号へ転送するように自動設定される。【選択図】    図１
2008160257.tif 000002
【特許請求の範囲】
【請求項１】
無線ＬＡＮ（ローカル・エリア・ネットワーク）にアクセスする無線端末機と有線による固定電話機とを内線番号により連動させて使用する電話交換システムにおいて、前記無線端末機が公衆携帯電話網と前記無線ＬＡＮとにアクセス可能なデュアルモードを有し、一方に少なくとも一つの外線、かつ他方に複数の内線、それぞれを収容接続して呼接続制御する主装置が、前記無線端末機に前記無線ＬＡＮを介してアクセスした際に当該無線端末機が連動の固定電話機を有する場合では当該無線端末機への着呼をその連動の固定電話機に転送するよう、また、前記無線端末機を前記無線ＬＡＮ圏外と判断した際に当該無線端末機が連動の固定電話機を有する場合では当該連動の固定電話機への着呼を前記無線端末機に前記公衆携帯電話網を介して転送するよう、その転送変更を自動設定することを特徴とする電話交換システム。
【請求項２】
請求項１に記載の電話交換システムにおいて、音声データの通信にＶｏＩＰ（ボイス・オーバー・インターネット・プロトコル）を用いることを特徴とする電話交換システム。
【請求項３】
請求項２に記載の電話交換システムにおいて、通話制御プロトコルとしてＳＩＰ（セッション・イニシエイション・プロトコル）を用いることを特徴とする電話交換システム。
【請求項４】
請求項１に記載の電話交換システムにおいて、前記主装置は、
無線ＬＡＮにアクセスする無線端末機の内線番号対応に連動固定電話機と無線ＬＡＮの圏内／圏外エントリとの情報を有する無線端末機設定テーブルと、
固定電話機の内線番号対応に連動先無線端末機と転送設定状態と転送先番号リストとの情報を有する固定電話機設定テーブルと、
前記無線ＬＡＮを介して前記無線端末機に対するアクセスの有／無を調査して前記圏内／圏外エントリを前記無線端末機設定テーブルに記録するエントリ登録手段と、
当該エントリ登録手段が前記無線端末機設定テーブルに圏外を記録する際に連動する固定電話機がある場合には前記固定電話機設定テーブルで前記転送設定状態を転送に設定する手段と、
前記エントリ登録手段が前記無線端末機設定テーブルに圏内を記録する際に連動する固定電話機がある場合には前記固定電話機設定テーブルで前記転送設定状態の転送設定を解除する手段と、
を備えることを特徴とする電話交換システム。
【請求項５】
請求項４に記載の電話交換システムにおいて、前記主装置は、前記無線端末機設定テーブルに転送先番号リスト領域を有し、連動固定電話機なしの圏外の無線端末機への着呼を前記転送先番号リストに従って転送処理する手段を備えることを特徴とする電話交換システム。
【請求項６】
請求項１に記載の電話交換システムにおいて、前記主装置は、前記無線端末機に前記無線ＬＡＮを介してアクセスした際に当該無線端末機が連動する固定電話機を有して当該無線端末機への着呼をその連動固定電話機に転送する場合、前記無線ＬＡＮを介して対象となる無線端末機にも着呼させる手段を備えることを特徴とする電話交換システム。
【発明の詳細な説明】
【技術分野】
【０００１】
本発明は、無線ＬＡＮ（ローカル・エリア・ネットワーク）にアクセスする無線端末機と有線による固定電話機とを内線として連動させて使用するボタン電話装置又は構内交換機のような電話交換システムに関し、特に上記無線端末機に、無線ＬＡＮと携帯電話網とにアクセス可能なデュアルモードの携帯電話機を用いた場合の転送変更を自動設定するための電話交換システムに関するものである。
【背景技術】
【０００２】
従来の転送変更を自動設定する電話交換システムには、例えば、特開平２−３１２４９４号公報（特許文献１、第１図）に示される無線電話転送設定方式がある。この特許文献１では、構内交換機で、併用する携帯電話機と有線電話機とがそれぞれ異なる電話番号を有し、携帯電話機の充電器にセット／リセット若しくは定位置に在り／なしに基づいて、定位置に在りの場合では携帯電話機への着呼を有線電話機へ、また定位置になく移動中の場合では有線電話機への着呼を携帯電話機へ、自動的に設定を変更して転送が実行されている。
【０００３】
この特許文献１における電話交換システムでは、携帯電話機と有線電話機とが内線電話としてのみ機能しており、携帯電話機は事業場内など近距離通信用に限定される。しかしながら、現在では、公衆通信業者による携帯電話網と接続する携帯電話機が個人でも広範囲で使用されている。従って、この携帯電話網と接続する携帯電話機を使用したシステムで、それぞれの着信をそれぞれの相手方に転送する必要性がある。
【０００４】
このような電話交換システムとして、例えば、特開２００４−３２３５６号公報（特許文献２、図３）がある。この特許文献２では、携帯電話機が固定電話網又は構内交換機に有線接続される固定電話機と電気的に直接接続される。したがって、固定電話網に接続する固定電話機が携帯電話機の接続有無を検出し、接続状態では携帯電話機への着信を固定電話機へ転送するという設定を携帯電話網に対して行い、無接続状態では固定電話機への着信を携帯電話機へ転送するという設定を固定電話網に対して行っている。また、固定電話機が構内交換機に接続される場合はその構内交換機が転送設定の変更をすることができるとされている。
【０００５】
しかし、この特許文献２による電話交換システムでは、固定電話機に携帯電話機を接続するという改造が必要である。更に、固定電話機が構内交換機に接続される場合、その構内で固定電話機から切り離された携帯電話機を使用する場合にはその通話路は携帯電話網を経由する。従って、携帯電話機で構内交換機の内線電話機と通話する場合、通話路が携帯電話網を経由するので料金負担が必要となる。
【０００６】
この問題を避けるため、最近では、携帯電話機に、構内近距離用と公衆電話網用との両方の無線機を搭載する、デュアルモード無線端末が用いられている。すなわち、通常は公衆網にアクセスする携帯電話モードである。他方、内線として使用する場合は近距離用として構内交換機の無線ＬＡＮ（ローカル・エリア・ネットワーク）にアクセスして他の内線と構内交換機を介して直接接続できる無線ＬＡＮモードに切り替えることができる。
【０００７】
その通信モードの切替えについて、例えば、特開２００４−２０１２７２号公報（特許文献３）のマルチモード無線通信装置で開示されている。この特許文献３では、無線部を周期的に携帯電話モードで動作させ、所定時間後に無線ＬＡＮモードに切替える制御部が備えられている。この制御部は、無線部が携帯電話モードで待受け受信中に着呼イベントの発生を検出した際、上記無線ＬＡＮモードへの切替えを抑制して、携帯電話モードでの通信を継続するか否かを判定しているものである。従って、この特許文献３では、無線ＬＡＮとのアクセス状態が発生しても、無線通信装置が直ちにそのモードに追従できないので、転送に対する迅速な自動設定ができない。
【０００８】
更に、例えば特開平１１−２７５２７２号公報（特許文献４）の移動体通信装置では、複数の通信方式を適宜切り替えて使用可能なマルチモード携帯電話機が開示されている。すなわち、キーパッドから相手先の電話番号が入力されると、制御部が入力された電話番号及びデータベースなどから相手先の通信方式を特定するとともに、現在使用可能な通信方式を選択する。そして、現在使用可能な通信方式のそれぞれに対して電話をかけた際の単位時間当りの通話料金を演算し、その演算結果に基づいて最も通話料金の安い通信方式を使用するように、使用する通信方式が選択されている。
【０００９】
この特許文献４によれば、移動電話機が、近距離用と公衆用とのデュアルモード無線端末で、構内交換機の無線ＬＡＮ領域にある場合、発呼があった際に自動的に無線ＬＡＮ端末として動作できる。従って、上記特許文献１及び特許文献２にこのデュアルモードの携帯電話機を適用することができる。それにより、携帯電話機からの発呼は経済的となる。
【００１０】
しかし、特許文献３又は特許文献４は、デュアルモードの無線端末機単体についてであり、無線端末機におけるモード選択について開示されているが、電話交換システムで無線端末機のモード変換に応じて転送先を設定するものではない。すなわち、無線端末機における制御であって、デュアルモードの無線端末機への着呼を制御することはできない。
【００１１】
すなわち、携帯電話機を固定電話機と併用又は連動する構成にあって、無線ＬＡＮを有する電話交換システムが、デュアルモード無線端末機の携帯電話機が無線ＬＡＮ圏外に出たことにより、内線の固定電話機への着呼を、圏外の連動する移動電話機へ転送するように自動設定する技術についての開示はない。
【００１２】
【特許文献１】特開平２−３１２４９４号公報（第１図）
【特許文献２】特開２００４−３２３５６号公報（図３）
【特許文献３】特開２００４−２０１２７２号公報
【特許文献４】特開平１１−２７５２７２号公報
【発明の開示】
【発明が解決しようとする課題】
【００１３】
解決しようとする課題は、無線ＬＡＮ（ローカル・エリア・ネットワーク）を有する電話交換システムが、無線ＬＡＮと携帯電話網とにアクセス可能なデュアルモード無線端末機を携帯電話機として使用した場合でも、内線で固定電話機と連動する無線端末機が無線ＬＡＮ圏外へ移動した際に、その連動固定電話機への着呼をその連動無線端末機へ転送するような設定が自動的にできないことである。
【課題を解決するための手段】
【００１４】
本発明は、無線ＬＡＮにアクセスする無線端末機と有線による固定電話機とを内線番号により連動させて使用するボタン電話装置又は構内交換機のような電話交換システムに関し、上記無線端末機には、無線ＬＡＮと公衆携帯電話網とにアクセス可能なデュアルモードの携帯電話機を用いる。また、交換装置と同等の、ボタン電話装置における主装置が、一方に少なくとも一つの外線、かつ他方に複数の前記内線、それぞれを収容接続して呼接続制御する。
【００１５】
本発明による主装置は、前記無線端末機に前記無線ＬＡＮを介してアクセスした際に当該無線端末機が連動の固定電話機を有する場合では当該無線端末機への着呼をその連動の固定電話機に転送するよう、また、前記無線端末機を前記無線ＬＡＮ圏外と判断した際に当該無線端末機が連動の固定電話機を有する場合では当該連動の固定電話機への着呼を前記無線端末機に前記公衆携帯電話網を介して転送するよう、その転送変更を自動設定することを主要な特徴とする。
【００１６】
このような構成により、内線の固定電話機と連動する無線端末機を所持するユーザは、無線端末機が無線ＬＡＮとアクセスしている場合には、内線の無線端末番号による着呼が連動固定電話機を呼出すので有線による品質のよい通話が可能である。一方、無線端末機が無線ＬＡＮとアクセスできない場合には、連動する内線の固定電話機及び無線端末機への着呼が無線端末機を転送先番号により呼出すので、転送先番号が携帯電話網で登録の携帯電話番号の場合にはその無線端末機により通話が可能である。
【００１７】
その電話交換システムでは、インターネットとアクセス可能なように音声データの通信にＶｏＩＰ（ボイス・オーバー・インターネット・プロトコル）を用い、その通話制御プロトコルとしてＳＩＰ（セッション・イニシエイション・プロトコル）を用いることが、公衆電話網及び携帯電話網の着信転送サービスを利用できるので望ましい。
【００１８】
具体的な主装置は、無線ＬＡＮにアクセスする無線端末機対応に連動固定電話機と無線ＬＡＮの圏内／圏外エントリとの情報を有する無線端末機設定テーブルと、固定電話機対応に連動先無線端末機と転送設定状態と転送先番号リストとの情報を有する固定電話機設定テーブルと、前記無線ＬＡＮを介して前記無線端末機に対するアクセスの有／無を調査して前記圏内／圏外エントリを前記無線端末機設定テーブルに記録するエントリ登録手段と、当該エントリ登録手段が前記無線端末機設定テーブルに圏外を記録する際に連動する固定電話機がある場合には前記固定電話機設定テーブルで前記転送設定状態を転送に設定する手段と、前記エントリ登録手段が前記無線端末機設定テーブルに圏内を記録する際に連動する固定電話機がある場合には前記固定電話機設定テーブルで前記転送設定状態の転送設定を解除する手段と、を備える。
【００１９】
また、前記主装置には、前記無線端末機設定テーブルに転送先番号リスト領域を有し、連動固定電話機なしの圏外の無線端末機への着呼を前記転送先番号リストに従って転送処理する手段を備えることができる。
【００２０】
更に、前記主装置は、前記無線端末機に前記無線ＬＡＮを介してアクセスした際に当該無線端末機が連動する固定電話機を有して当該無線端末機への着呼をその連動固定電話機に転送する場合、前記無線ＬＡＮを介して対象となる無線端末機にも着呼させる手段を備えることにより、無線ＬＡＮ圏内の無線端末機を保持するユーザが連動固定電話機近辺から離れていても、その着呼を受けることができる。
【発明の効果】
【００２１】
本発明の電話交換システムは、無線ＬＡＮを介してデュアルモード無線端末機を内線に収容し、内線として連動固定電話機を設定した場合、無線ＬＡＮ圏外では公衆携帯電話網から着呼する一方、無線ＬＡＮ圏内では、その連動固定電話機に着呼するように転送変更を自動設定する。このため、この無線端末機を所持するユーザは、無線ＬＡＮ圏外では公衆携帯電話網を介した通信、また、無線ＬＡＮ内では電話交換システムを介した固定電話機での通信ができるので有線による安定した通話が得られるのみならず、無線端末機で電話交換システムを介した内線相互通信が可能なので経済性を得られるという効果がある。
【発明を実施するための最良の形態】
【００２２】
本発明の目的は、電話交換システムにあって、無線ＬＡＮと携帯電話網とにアクセス可能なデュアルモード無線端末機を携帯電話機として使用した場合でも、内線で固定電話機と連動する無線端末機が無線ＬＡＮ圏外へ移動した際に、その連動固定電話機への着呼をその連動無線端末機へ転送するような設定を自動的に可能にすることである。
【００２３】
そのため、交換装置と同等の、ボタン電話装置における主装置が、電話主装置として、一方に少なくとも一つの外線、かつ他方に複数の前記内線、それぞれを収容接続して呼接続制御する際に、本発明による制御を処理している。
【００２４】
すなわち、その電話主装置は、前記無線端末機に前記無線ＬＡＮを介してアクセスした際に当該無線端末機が連動する固定電話機を有する場合では当該無線端末機への着呼をその連動固定電話機に転送するよう、また、前記無線端末機を前記無線ＬＡＮ圏外と判断した際に当該無線端末機が連動する固定電話機を有する場合では当該連動固定電話機への着呼を前記無線端末機に前記公衆携帯電話網を介して転送するよう、その転送変更を自動設定する。
【００２５】
以下に、実施態様を図示して具体的に説明する。図面は限定されるので、本発明に係る部分以外の構成要素はシステム又は装置として必須の機能でも図示省略の場合がある。
【００２６】
また、図示され説明される内容は本発明の趣旨及び基本機能を満たす限りその変更は自由であり、以下の説明が本発明を限定するものではない。
【００２７】
本発明の実施例１について図１を参照して説明する。
【００２８】
図１は、本発明の電話交換システムの実施の一形態をブロックで示す説明図である。
【００２９】
図示される電話交換システム１は、電話主装置１０、固定電話機２１、並びに無線基地局３０及び無線端末機３１で構成され、その通信制御プロトコルにＳＩＰ（セッション・イニシエイション・プロトコル）を用いるものとする。また、無線基地局３０は、無線回線で接続する無線端末機３１のアクセス・ポイントとなる。無線端末機３１は、いわゆるデュアルモードを有し、無線ＬＡＮ対応の近距離用無線機と公衆の携帯電話用無線機との両者を備える。
【００３０】
電話主装置１０は、例えば、ボタン電話装置の主装置であり、一方で少なくとも一つの外線、かつ他方で複数の内線、それぞれを収容し接続して呼接続制御するものである。それは、外線ＩＦ（インタフェース）部１１、外線呼制御部１２、外線転送制御部１３、内線呼制御部１４、電話機ＩＦ部１５、無線ＩＦ部１６、固定電話機設定テーブル１７、及び無線端末機設定テーブル１８を備える。
【００３１】
外線ＩＦ部１１は、一方にインターネット、かつ他方に外線呼制御部１２それぞれと接続し、情報の相互交換を実行すると共に、音声データの送受信にはＶｏＩＰ（ボイス・オーバー・インターネット・プロトコル）を用いるものとする。特に、通話制御プロトコルには、多機能化が進み最近普及しているＳＩＰが用いられる。外線は、着信転送サービスを提供できるネットワークに接続するもので、ＩＳＤＮ（統合サービス・デジタル・ネットワーク）との接続でもよい。外線呼制御部１２は、外線からの着呼又は外線への発呼を制御する。外線転送制御部１３は、被呼内線に外線転送先が設定されていた場合、外線ＩＦ部１１を介して所定のプロトコルに基づき転送先の外線番号をネットワークに通知して着信転送サービスを実行させる。
【００３２】
内線呼制御部１４は、内線電話機への着呼又は内線電話機からの発呼を制御するものである。特に、着呼の際の転送設定及び転送制御を転送電話設定制御により自動的に行われると共に、無線端末機のアクセス状態が監視され、エントリ状態として登録するなどの無線端末情報制御が行われる。転送電話設定制御の機能は、ユーザによる内線電話機または外線経由の所定操作により固定電話機設定テーブル１７及び無線端末機設定テーブル１８の転送設定を書替え可能である。したがって、転送電話設定制御機能は、上述した圏内／圏外エントリの登録手段、並びに転送設定状態の転送設定手段及び転送設定解除手段を含む。
【００３３】
電話機ＩＦ部１５は、有線ＬＡＮを介して少なくとも一つの固定電話機２１を接続し、内線呼制御部１４との情報授受を行う。無線ＩＦ部１６は、無線ＬＡＮを介して無線基地局３０と接続し、内線呼制御部１４との情報授受を行う。
【００３４】
固定電話機設定テーブル１７及び無線端末機設定テーブル１８はメモリ領域の情報を纏めてテーブルに表記したものであり、メモリ領域でのメモリ形態は図示されたものとは通常相違する。例えば、連動する無線端末機と固定電話機とはいずれか一方のテーブル、又は独立したテーブルで形成されてよい。
【００３５】
固定電話機設定テーブル１７は、固定電話機の例えば内線番号対応に、連動する無線端末機の内線番号、転送設定の有無、転送先番号リストなどの領域を有する。連動する無線端末機の内線番号領域は連動無線端末機と図示されている。転送設定の有無領域は、転送設定状態と図示され、周知の手段を用いてユーザが手動で予め設定可能であるが、本発明では内線呼制御部１４の転送電話設定制御により実行される。転送先番号リスト領域は、転送先リストとのみ図示され、複数の転送先に対して優先順位が設定可能である。連動無線端末機がある場合、その転送先リストには連動無線端末機の移動電話網における電話番号が含まれる。
【００３６】
従って、固定電話機２１の内線番号で着呼を受けた際に転送設定がない場合、内線呼制御部１４は受けた内線番号でその固定電話機２１を呼出しする。しかし、連動無線端末機３１の内線番号に着呼してその固定電話機２１に転送の際に転送設定がない場合、内線呼制御部１４は、固定電話機２１のみを呼出ししてもよいが、連動無線端末機３１及び固定電話機２１の両者に呼出信号を送ることもできる。また、連動無線端末機３１の内線番号に着呼してその固定電話機２１に転送の際に転送設定がある場合、内線呼制御部１４は、転送先リストに従って呼出しし、転送先が話中の際にはその優先順位に従って順次転送する。
【００３７】
無線端末機設定テーブル１８は、無線端末機の例えば内線番号対応に、連動する固定電話機の内線番号、無線ＬＡＮとのアクセス有無、転送先番号リストなどの領域を有する。連動する固定電話機の内線番号領域は連動固定電話機と図示されている。無線ＬＡＮとのアクセス有無領域は、エントリ状態と図示され、本発明では内線呼制御部１４の無線端末情報制御により無線基地局３０が対象の無線端末機３１とアクセスしているか、否かが圏内か圏外かで図示される。転送先番号リスト領域は、転送先リストとのみ図示され、複数の転送先に対して優先順位が設定可能である。その転送先リストにはその無線端末機の移動電話網における携帯電話番号が含まれる。その携帯電話番号により、エントリ状態が圏外の場合には、転送設定として外線転送制御部１３が駆動され、この無線端末機３１は、内線番号による着呼にかかわらず外線転送され、携帯電話網から着呼を受けて呼出しされる。
【００３８】
固定電話機２１はボタン電話機を想定しているが、電話主装置１０の制御プロトコルに従った他の多機能電話機、ＩＰ電話機などでもよい。上述したように、通話制御プロトコルにはＳＩＰを用いることが望ましい。図示される場合、固定電話機２１は無線端末機３１と個別の内線番号を有し、対の一組を成して連動する。
【００３９】
無線基地局３０は無線ＩＦ部１６と接続して無線ＬＡＮを形成し、近距離無線方式で無線端末機３１にアクセスする。無線端末機３１は無線ＬＡＮにアクセスする近距離用無線機と携帯電話網にアクセスする携帯電話用無線機とのデュアルモードを備える。従って、無線端末機３１は、例えば、通常は携帯電話用無線機として作動し、無線基地局３０とアクセスした際には電話主装置１０の内線として作動する。
【００４０】
次に、図２に図１を併せ参照して固定電話機設定テーブル１７及び無線端末機設定テーブル１８における連動の固定電話機２１及び無線端末機３１の転送のための自動設定について電話主装置１０の動作手順により説明する。連動の有無にかかわらず、全ての内線に所定の手順によりユーザから転送の設定が可能である。その手順は本発明に含まれないので説明を省略する。また、固定電話機２１及び無線端末機３１の何れの転送先最優先にも無線端末機３１の携帯電話番号が登録されているものとし、無線端末機の当初のエントリ状態は圏内にあるものとする。
【００４１】
まず、内線呼制御部１４の無線端末情報制御機能が無線ＩＦ部１６及び無線基地局３０を介して無線端末機３１のエントリ状態を確認（手順Ｓ１）し、圏外が発出（手順Ｓ２のＹＥＳ）の場合、内線呼制御部１４は、無線端末機設定テーブル１８の無線端末機３１のエントリ状態を圏外に設定し連動固定電話機の有無を調査（手順Ｓ３）する。内線呼制御部１４は、無線端末機３１の連動電話機領域に固定電話機２１の内線番号あり（手順Ｓ４のＹＥＳ）の場合、固定電話機設定テーブル１７で連動先固定電話機２１の転送設定状態領域に転送を設定（手順Ｓ５）する。上記手順Ｓ４が「ＮＯ」で連動固定電話機がない場合には、そのまま手順は終了する。必要であれば、内線呼制御部１４は、無線端末機設定テーブル１８での該当エントリ状態の圏外設定を確認する。
【００４２】
上記手順Ｓ２が「ＮＯ」で無線端末機３１のエントリ状態を圏内と確認の場合、内線呼制御部１４は、無線端末機設定テーブル１８の無線端末機３１のエントリ状態の圏内を確認し連動固定電話機の有無を調査（手順Ｓ１１）する。内線呼制御部１４は、無線端末機３１の連動電話機領域に固定電話機２１の内線番号あり（手順Ｓ１２のＹＥＳ）で、かつ固定電話機設定テーブル１７で連動先固定電話機２１の転送設定状態領域に転送設定あり（手順Ｓ１３のＹＥＳ）の場合、その転送設定を解除（手順Ｓ１４）する。上記手順Ｓ１２が「ＮＯ」で無線端末機３１の連動電話機領域に固定電話機２１の内線番号なしの場合、かつ上記手順Ｓ１３が「ＮＯ」で固定電話機設定テーブル１７における連動先固定電話機２１の転送設定状態領域に転送設定なしの場合、そのまま手順は終了する。
【００４３】
次に、図３に図１を併せ参照して、電話主装置１０の、固定電話機設定テーブル１７及び無線端末機設定テーブル１８を用いた無線端末機３１への着呼動作手順について説明する。
【００４４】
内線呼制御部１４は、無線端末機３１への着呼を受付けした際、無線端末機設定テーブル１８の無線端末機３１領域でエントリ状態及び連動固定電話機の有無を確認（手順Ｓ２１）する。エントリ状態が圏内（手順Ｓ２２のＹＥＳ）で、連動固定電話機２１あり（手順Ｓ２３のＹＥＳ）の場合、内線呼制御部１４は、固定電話機設定テーブル１７で固定電話機２１領域を検索し、転送設定なし（手順Ｓ２４のＮＯ）の場合にはその固定電話機２１に着呼制御（手順Ｓ２５）して呼出しを行う。連動固定電話機２１としての内線呼出しは、無線端末機３１も同時に呼出すことができる。この制御は、無線端末機３１を所持するユーザが連動固定電話機２１から離れている場合に有効である。
【００４５】
上記手順Ｓ２３が「ＮＯ」で連動固定電話機なしの場合、内線呼制御部１４は、着呼先内線番号の無線端末機を無線ＩＦ部１６から無線基地局３０を介して呼出しする着呼制御（手順Ｓ２６）を行う。上記手順Ｓ２４が「ＹＥＳ」で連動固定電話機に転送設定ありは手動で転送設定されている場合であり、内線呼制御部１４は、その固定電話機２１の転送先リストに従って転送先に発信する転送制御（手順Ｓ２７）を行う。
【００４６】
上記手順Ｓ２２が「ＮＯ」でエントリ状態が圏外で、連動固定電話機２１あり（手順Ｓ３１のＹＥＳ）の場合、内線呼制御部１４は、固定電話機設定テーブル１７で固定電話機２１領域を検索する。そこで、そこで転送設定なし（手順Ｓ３２のＮＯ）では、その設定が手動の場合であり、内線呼制御部１４は、その固定電話機２１を呼び出す着呼制御（手順Ｓ３３）を行う。
【００４７】
上記手順Ｓ３１が「ＮＯ」でその無線端末機に連動固定電話機なしの場合、その無線端末機領域のエントリ状態は「圏外」なので、その無線端末機の転送先リストに従って転送先に発信する転送制御（手順Ｓ３４）を行う。通常、その転送先には最優先でその無線端末機の携帯電話番号が登録されているので、その無線端末機が呼出しされ、それを所持するユーザが受信できる。
【００４８】
上記手順Ｓ３２が「ＹＥＳ」でその連動固定電話機２１に転送設定ありの場合、その転送先リストに従って転送処理し転送先に発信する上記手順Ｓ２７に続く。この場合、転送先リストには、連動する無線端末機３１の携帯電話番号が最優先登録されているので、ユーザは内線番号での着呼を携帯する無線端末機３１で受けることができる。
【００４９】
このような構成を採用したので、電話交換システムで内線使用される無線ＬＡＮによる無線端末機が無線ＬＡＮ圏外に出た場合でも、その内線番号による呼出しで、自動的に携帯電話番号により呼出しを受けることができるという効果がある。
【００５０】
上記説明で、固定電話機設定テーブル１７及び無線端末機設定テーブル１８に固定電話機及び無線端末機の内線番号を登録するとしたが、内線番号には電話機ＩＦ部１５及び無線ＩＦ部１６それぞれの内線に対応する電話番号又はポート番号がある。電話主装置は、通常、内線の電話番号とポート番号との対応テーブルを有している。
【００５１】
また、上記説明では、外線としてＶｏＩＰ及びＩＳＤＮといった着信転送サービスを供給できるネットワークを対象に説明したが、アナログ回線の場合についても、電話主装置で転送先アドレスとして電話番号を知ることができるので、適切な外線数がある場合には自動的に発呼して外線の転送先を呼出すことが可能である。
【００５２】
なお、固定電話機での着呼制御及び発呼制御は従来同様であり、その説明を省略する。ちなみに、連動無線端末機を有する固定電話機では、転送先に連動無線端末機の携帯電話番号が登録されているので、手動設定の場合で固定電話機への呼び出しがなくても、本発明により、連動無線端末機を必ず呼出しすることができる。
【００５３】
また近年、ネットワークにシステム構築することによりプレゼンス機能が強化され、各自が自分の状態を入力設定することにより、相手先の現在状況を確認可能であり、更にそれを確認した上で、音声通話、メッセージ、メールなどから最適な通信手段を選ぶことが可能なサービスが普及している。したがって、電話交換システムが電話主装置にプレゼンス機能を内蔵又はネットワークのプレゼンス機能を利用して各内線に対してその状態を自動的に登録することにより、その情報を活用して上記機能を実現することができる。すなわち、本発明には、その実施態様も含まれる。それは、特に電話交換システムにＳＩＰを用いることにより容易に実現可能である。
【産業上の利用可能性】
【００５４】
デュアルモードの無線端末機を携帯電話機に用いて、電話交換システムで内線使用される無線ＬＡＮによる無線端末機が無線ＬＡＮ圏外に出た場合でも、内線番号の呼出しにより自動的に携帯電話番号で容易に呼出しを受けることができる。したがって、無線端末機による内線電話機同士又は子機同士で通話可能な電話交換システムで、無線端末機が無線ＬＡＮから圏外に出た場合でも、それを容易に呼出しする用途に適用可能である。
【図面の簡単な説明】
【００５５】
【図１】本発明による電話交換システムの実施の一形態をブロックで示した説明図である。
【図２】図１における電話交換システムの転送自動設定に係る手順の実施の一形態をフローチャートで示した説明図である。
【図３】図１における電話交換システムの無線端末機への着呼に係る手順の実施の一形態をフローチャートで示した説明図である。
【符号の説明】
【００５６】
１    電話交換システム
１０    電話主装置
１１    外線ＩＦ部
１２    外線呼制御部
１３    外線転送制御部
１４    内線呼制御部
１５    電話機ＩＦ部
１６    無線ＩＦ部
１７    固定電話機設定テーブル
１８    無線端末機設定テーブル
２１    固定電話機
３０    無線基地局
３１    無線端末機
【図１】
2008160257.tif 000003
【図２】
2008160257.tif 000004
【図３】
2008160257.tif 000005